(57)【要約】【課題】  排水時に電動機が洗浄ポンプを駆動させるときと逆方向に回転させたとき、すなわち排水ポンプを駆動した場合、排水時にノズル流路が開放されていると洗浄ポンプが動作して各ノズル流路へ洗浄水を供給するため、水が各ノズル流路を経由してノズル、特に下側ノズル側から噴出することがあった。【解決手段】  上側ノズル体、下側ノズル体に通じる水路を切り替える切り替え装置を設け、排水時において切り替え装置は水路を全閉するようにした。【選択図】図４
2006320441.tif 000002
【特許請求の範囲】
【請求項１】
洗浄槽内の下側に設けられ、上方に水を噴出する複数の噴出口を有する第１及び第２の下側ノズル体と、前記洗浄槽内の上側に設けられ、下方に水を噴出する複数の噴出口を有する上側ノズル体と、前記第１及び第２の下側ノズル体と前記上側ノズル体のそれぞれに通じる水路に水を供給する洗浄ポンプと、前記洗浄槽内の水を外部に排出する排水ポンプと、前記洗浄ポンプと前記排水ポンプとを駆動する電動機と、前記第１の下側ノズル体、前記第２の下側ノズル体、及び前記上側ノズル体に通じる前記水路と前記洗浄ポンプとの間に設けられ、前記洗浄ポンプからの給水時には、前記上側ノズル体、前記第１の下側ノズル体、及び前記第２の下側ノズル体に通じる前記水路を切り替え、排水時には前記水路を全閉する切り替え装置と、を備えた食器洗い機。
【請求項２】
請求項１記載の食器洗い機において、前記電動機は正逆回転の切り替えにより前記洗浄ポンプと前記排水ポンプとを駆動する食器洗い機。
【請求項３】
請求項１記載の食器洗い機において、前記切り替え装置は、前記水路の切り替えと前記水路の全閉とを順に実行する食器洗い機。
【請求項４】
請求項１記載の食器洗い機において、前記切り替え装置の原点位置を前記水路の全閉位置にした食器洗い機。
【請求項５】
請求項１記載の食器洗い機において、前記上側ノズル体は複数のノズル体からなり、一つの水路により水が供給される食器洗い機。
【発明の詳細な説明】
【技術分野】
【０００１】
本発明は、食器洗い機に関する。
【背景技術】
【０００２】
従来、この種のポンプを使用した食器洗い機は、特許文献１（特開平９−３１３４２５号公報）に記載、また、切り替え弁を使用した食器洗い機は、特許文献２（特開２００２‐２１９０８８号公報）に記載されている。
【０００３】
【特許文献１】特開平９−３１３４２５号公報
【０００４】
【特許文献２】特開２００２−２１９０８８号公報
【発明の開示】
【発明が解決しようとする課題】
【０００５】
従来の食器洗い機では、洗浄ポンプと排水ポンプを同一モータにより正逆回転させて、切り替え弁を使用して各ノズル流路を切り替える食器洗い機において、洗浄ポンプと排水ポンプの回転方向を正逆回転させることにより各々のポンプが機能する。
【０００６】
このような機構を備えた場合、洗浄ポンプはその目的から電動機の正転時には流量を大きくとることが出来るが、一般的にこのような装置で使用されるポンプは渦巻き式ポンプを使用しているため逆転時にも若干のポンプ作用が生じる。
【０００７】
排水時に電動機が洗浄ポンプを駆動させるときと逆方向に回転させたとき、すなわち排水ポンプを駆動した場合、排水時にノズル流路が開放されていると洗浄ポンプが動作して各ノズル流路へ洗浄水を供給するため、水が各ノズル流路を経由してノズル、特に下側ノズル側から噴出することがあった。
【０００８】
そのため、排水ポンプを停止させると戻り水により再度排水動作を繰り返す必要があり排水ポンプ効率が著しく低下し排水時間がかかる。
【０００９】
また、排出する水が少なくなっても循環水路から戻ってくる水が依然として存在するため、排水を継続して行なわなければならず、排水時エアーのかみこみを生じ排水効率が著しく低下し時間が増加すると共に、エアー噛み込みによる騒音が大きくなる問題があった。
【００１０】
また、各ノズル体への洗浄水の供給を切り替えて、順番に各ノズル体から洗浄水を噴出させるようにしたときにも、最後の排水行程時に洗浄ポンプが動作してノズルから噴出したすすぎ水が付着した状態で乾燥行程に入ることがあり、乾燥後の食器に水滴痕が残る可能性があった。
【００１１】
本発明の目的は、上記問題を解決してノズルを切り替えながら洗浄またはすすぎを行ない、排水工程を改善した食器洗い機を提供することを目的とする。
【課題を解決するための手段】
【００１２】
上記目的を達成するために本発明の食器洗い機は、洗浄槽内の下部に設けられ、上方に水を噴出する複数の噴出口を有する第１及び第２の下側ノズル体と、前記洗浄槽内の上部に設けられ、下方に水を噴出する複数の噴出口を有する上側ノズル体と、前記第１及び第２の下側ノズル体と前記上側ノズル体のそれぞれに通じる水路に水を供給する洗浄ポンプと、前記洗浄槽内の水を外部に排出する排水ポンプと、前記洗浄ポンプと前記排水ポンプとを駆動する電動機と、前記第１の下側ノズル体、前記第２の下側ノズル体、及び前記上側ノズル体に通じる前記水路と前記洗浄ポンプとの間に設けられ、前記洗浄ポンプからの給水時には、前記上側ノズル体、前記第１の下側ノズル体、及び前記第２の下側ノズル体に通じる前記水路を切り替え、排水時には前記水路を全閉する切り替え装置と、を備えた。
【発明の効果】
【００１３】
本発明によれば、ノズルを切り替えながら洗浄やすすぎを行ない、排水工程を改善した食器洗い機を提供できる。
【発明を実施するための最良の形態】
【００１４】
本発明の実施例について、まず図１を用いて説明する。図１には本発明の一実施例に係わる食器洗い機の横断面図を示す。
【００１５】
食器洗い機の外枠本体１の内側に洗浄槽２が備わる。第１及び第２の下側ノズル体として左右に一つずつ洗浄槽２の下部側に設けられている。それらの下側ノズル体として、上方に水を噴出する複数の噴出口を有している下側右ノズル体４ａと下側左ノズル体４ｂを図１に示す。下側右ノズル体４ａと下側左ノズル体４ｂはそれぞれ回転ノズル体であり、それぞれに設けられた噴出口に必要な方向性を与え、水が噴出する反作用で回転する。
【００１６】
排水ポンプ８は、洗浄工程における洗浄後の洗浄水を、また、すすぎ行程におけるすすぎ後のすすぎ水を食器洗い機の外部に排水する。
【００１７】
排水ポンプ８と洗浄ポンプ７は、同一軸上にあり共通の電動機９で駆動される。電動機９は正逆両方向に回転出来る。一方の回転で、洗浄ポンプ７を機能させ、他方の回転で排水ポンプ８を機能させる。
【００１８】
使用する電動機がコンデンサ電動機を使用する場合は、洗浄時と排水時を比較すると洗浄時のときの方が電動機の出力が大きいので主巻線と補助巻線の巻線比を１以上にする。これにより洗浄時の電動機の出力を大きくするようにしている。
【００１９】
加圧された洗浄水は洗浄切り替え装置２１により、各ノズル体に連通される循環水路を通して各ノズル体に供給される。
【００２０】
ヒータ２０は、乾燥空気の加熱および洗浄水の加熱に用いられる。
【００２１】
図２に示された本実施例に係わる食器洗い機の縦横断面図を示す。洗浄槽２内には、食器類を収納する出し入れ自在なる食器かご３が備えられる。食器かご３は、上かごと下かごがあり、図示された下かごには、右側に大皿が複数立てられるように食器立てが設けられていて、左側には小皿が複数立てられる食器立てが設けられている。また、小皿と大皿との間、及び小皿の上部には、コップ及び湯呑み茶碗が載置可能な食器立てが設けられている。
【００２２】
図示された上かごには、左側には汁椀を、右側には茶碗を複数立てられる食器立てが設けられている。これらの食器立ては、汁椀と茶碗の組合せのほかに、小鉢や小皿を載置可能である。
【００２３】
洗浄槽２内の上部側には下方に水を噴出する複数の噴出孔を有する上側ノズル体５が具わる。上側ノズル体５は複数設けられていて、図２においては３個のノズル体が図示されている。この上側ノズル体５は、洗浄槽２内の食器に対して上方から全体に渡って洗浄水を噴出されえるならば、２個でもよく、また３個よりも多くても良い。
【００２４】
上側ノズル体５、下側右ノズル体４ａ及び下側左ノズル体４ｂは回転自在に設けられ、回転しながら洗浄水を噴射して食器類の洗浄を行なう。
【００２５】
洗浄槽２の下方には、洗浄水タンク６が設けられる。洗浄水タンク６内にはヒータ２０が設けられている。
【００２６】
洗浄水タンク６の洗浄水は、洗浄ポンプ７の運転により取水され、加圧されて上側ノズル体５、下側右ノズル体４ａ及び下側左ノズル体４ｂから噴射される。
【００２７】
洗浄水タンク６の下方に備わる送風ファン１０は、洗浄後の食器かごが３に乾燥空気を送る。
【００２８】
図１に図示した洗浄槽２の下側に取り付けられた洗浄切り替え装置２１は、後述するように洗浄ポンプ７の洗浄水を上側ノズル体５や下側右ノズル体４ａと下側左ノズル体４ｂに各々供給したり、上／下側ノズル体に同時に供給したりする。
【００２９】
図３（ア）に洗浄切り替え装置２１の縦断面図を、図３（イ）に洗浄切り替え装置２１の下面図を示す。各図は切り替え弁２３の位置が排水位置にした状態を示す。
【００３０】
洗浄切り替え装置２１は、切り替え本体ケース２２、平板状をなし、かつ円形の切り替え弁２３、分岐ダクト２４、切り替え弁２３を回す電動機２５を有する。
【００３１】
切り替え本体ケース２２は筒状をなし、上部に分岐ダクト２４と接合する流出口を有し、下部に底部を有し、かつ、側部に吸入口２６を有する。流出口の周囲にはフランジ部３５が設けられる。
【００３２】
底部の軸受部２７は本体ケース２２と一体成形で構成されている。材料としてはポリアセタールやポリエチレンが使用される。軸回転数は毎分５〜２０回転の低速にすることにより減速比を大きくしてトルクを出す。これにより電動機を小さくして狭い洗浄槽の底部に据え付けている。
【００３３】
軸受部２７は弁回転軸２８を回転自在に支持し、軸受部２７の上側（内側）には軸シール部材を保持する。弁回転軸２８は、切り替え弁２３の偏心位置に設けられたボス穴が嵌め込まれて取り付けられる。ボス穴は弁回転軸２８に対して回り止めになっているが、軸方向には摺動自在になっている。
【００３４】
電動機２５は、小型の同期電動機が用いられる。電動機２５の回転は、減速ギアを介して出力される。出力軸２９は、弁回転軸２８の連結穴に嵌め込んで取り付けられる。連結穴と出力軸２９との嵌め込みは、回転方向に対して回り止めになっている。
【００３５】
出力軸２９には、カム３０(点線で図示)が設けられる。このカム３０で、オン.オフするカムスイッチ３１（原点位置検知センサ）が備わる。
【００３６】
カム３０は一回転で、カムスイッチ３１のレバー３２を押して一回だけオンさせるカム突起３３を有する。カムスイッチ３１がオンするオン信号を切り替え弁２３の原点位置信号に用いる。
【００３７】
分岐ダクト２４は、前述した下側右ノズル体４ａに連通する下側ノズル右流路２４ａ１と、下側左ノズル体４ｂに連通する下側ノズル左流路２４ａ２及び上側ノズル体５に連通する上側ノズル流路２４ｂとを有する。
【００３８】
分岐ダクト２４の中央には、上下分岐用の仕切り壁２４ｃが設けられる。この仕切り壁２４ｃで、前述した切り替え本体ケース２２の上部の開口に臨む流入口２４ｄが、下側ノズル右流路２４ａ１及び下側ノズル左流路２４ａ２と上側ノズル流路２４ｂとに分けられている。また、下側の流路は更に左右に仕切り壁２４ｃ１により分岐されている。
【００３９】
分岐ダクト２４と切り替え本体ケース２２は、洗浄槽２の下側に取り付けられる。すなわち、洗浄槽２の下側部分に底が開口している円筒状の落し込み部３４を設ける。この落し込み部３４の下面側に切り替え本体ケース２２の流出口を当接し、かつフランジ部３５はシール部材を介在して洗浄槽２の下面側に取り付けられている。
【００４０】
落し込み部３４の上面側には、分岐ダクト２４を取り付ける。分岐ダクト２４の流入口２４ｄが落し込み部３４に嵌るように取り付けられる。
【００４１】
本実施例における洗浄切り替え装置２１の構成では、洗浄ポンプ７の水圧により切り替え弁２３が軸方向に移動して支流を切り替える方式で且つ切り替え弁２３の回転方向の位置は電動機により駆動しているので、落し込み部３４と切り替え弁２３との間隙は、切り替え弁２３がスムーズに回転できる最小間隙でよい。洗浄ポンプ７が作動して切り替え弁２３に水圧が印加され、上方に移動したとき移動距離が少なく、衝突音が小さくなるため切り替え弁にゴム等のダンパーを使用する必要はない。
【００４２】
図４に本発明の一実施例における洗浄切り替え装置２１の分岐ダクト２４と切り替え弁２３の部分図を示す。分岐ダクト２４は、上下を仕切り壁２４ｃにより分離されている。また、下側ノズル流路は下側ノズル右流路２４ａ１と下側ノズル左流路２４ａ２に仕切り壁２４ｃ１により分離され、上側ノズル流路２４ｂは出口側を閉鎖隔壁２４ｂ１によりふさがれた構造となっている。
【００４３】
本実施例では上側ノズル流路２４ｂの投影部に閉鎖隔壁２４ｂ１があるが閉鎖隔壁２４ｂ１の後ろ側には上側ノズル流路２４ｂが無くてもよい。
【００４４】
洗浄切り替え装置２１の切り替え弁２３は本実施例の場合１／４円形の穴部２００が開いている。本実施例では切り替えパターンが上側ノズル、下側ノズルの左側、下側ノズルの右側、全閉（排水）の４パターンになっているので１パターン当たりの移動角度は３６０／（３＋１）＝９０度となっている。すなわち、切り替えパターン数は各ノズル体の循環水路＋排水（閉鎖隔壁）となっている。図４に示すように切り替え弁２３の穴部２００と閉鎖隔壁２４ｂ１が一致した位置を排水位置としている。
【００４５】
この状態では洗浄ポンプの出口は全部遮断された状態となり上下どちらのノズルにも洗浄水は循環しない状態となっている。この位置でカムスイッチ３１がオフして原点位置となるようにしている。
【００４６】
図５に沿って回路の説明をする。制御手段（マイコン）４０は、入力手段４１、水温センサ４２、水位センサ４３、カムスイッチ３１の各種信号を演算処理して駆動制御手段４６を制御し、また、表示手段４７の各種表示を制御する。
【００４７】
電源回路４８は、商用電源を低圧の直流に換えて制御手段（マイコン）４０に供給する。駆動制御手段４６は、制御手段（マイコン）４０の制御指示により、給水弁５０、洗浄ポンプ用の電動機９、ヒータ６０、送風ファン用の電動機６１、切り替え用の電動機２５を駆動する。
【００４８】
上記の構成に基づいて、本実施例における食器洗い機における切り替え弁２３を用いた動作を説明する。
【００４９】
入力手段４１の運転指示で洗浄のための運転指示が制御手段４０より発されると、まず外部より水道水の導入を行なう前に、食器洗い機内に滞留された洗浄水を確実に無くすために排水行程が実施される。このとき、洗浄切り替え装置２１の切り替え弁２３の穴部２００は、閉鎖隔壁２４ｂ１に一致した位置におかれ、排水行程を実施する。
【００５０】
この排水行程を終えた後、水道水を導入して洗浄可能状態になると、洗浄ポンプ７を稼動させるために電動機９が運転開始する。洗浄ポンプ７から送られた加圧された洗浄水は、洗浄切り替え装置２１に供給される。当初は排水位置にあった切り替え弁２３も電動機２５の駆動により循環水路を切り替える動作を開始する。
【００５１】
電動機２５の駆動により、閉鎖隔壁２４ｂ１から上側ノズル体５に循環水路が連通する位置に切り替え弁２３が回転移動し、上側ノズル流路２４ｂが開かれ上側ノズル体５に加圧された洗浄水が供給される。
【００５２】
上側ノズル体５は複数のノズル体より構成されていて、洗浄水の噴出口の数が、単独で洗浄水を噴出させる下側ノズル体よりも多いが、洗浄槽２の天面より下方に噴出させるために必要な噴出力を伴って各上側ノズル体５より噴出させることができる。そのため、上方より全ての食器に対して必要な洗浄効果を得られる。
【００５３】
また、上側ノズル体５のように天面から洗浄水を噴出させることで、上かごに小皿の汚れ面を前向きに立てても横向きに立てても洗浄水を当てることができ、上かごのレイアウトの自由度が高まると共に、誤って指定方向と異なる方向に小皿を立てても洗浄水を確実に当てることができる。
【００５４】
次に切り替え弁２３の穴部２００は、切り替え弁２３の回転により下側ノズル左流路２４ａ２と連通して、上側ノズル流路２４ｂが全閉し上側ノズル体５からの洗浄水の噴出が停止して下側左ノズル体４ｂより噴出が開始する。
【００５５】
ここで、入力手段４１の洗浄コース設定によっては電動機２５の駆動を停止して、下側左ノズル体４ｂの直上にあるコップや湯呑みに対して通常の洗浄コース設定で噴出させるよりも長時間、洗浄水を噴出させて洗浄しても良い。これはコップ洗浄専用コースとして設定されるものである。これにより、一時多数使用される飲み物用食器に対して効率よく洗浄することが可能となる。
【００５６】
次に、切り替え弁２３の穴部２００は回転により下側ノズル左流路２４ａ２を全閉して、下側ノズル右流路２４ａ１を開放し、下側左ノズル体４ｂからの洗浄水の噴出を停止して、下側右ノズル体４ａからの噴出が開始される。
【００５７】
この下側右ノズル体ａからの洗浄水の噴出が切り替え弁２３の回転に伴い終了すると、切り替え弁２３の穴部２００は閉鎖隔壁２４ｂ１と重なり、一旦全てのノズル体からの洗浄水の噴出が停止する。
【００５８】
洗浄工程として処理が実行されている間は電動機２５の回転は継続され、再び上側ノズル体５からの洗浄水の噴出が行なわれる。この噴出サイクルは洗浄工程の間、継続され洗浄槽２内の食器類を洗う。また、上側ノズル流路２４ｂへの洗浄水の供給の後に、下側ノズル左流路２４a２へ洗浄水を供給するのではなく、先に下側ノズル右流路２４a１に洗浄水を供給しても良い。この場合、図４（ア）における下側ノズル右流路２４a１と下側ノズル左流路２４a２との位置を変えることで済む。
【００５９】
洗浄工程が終了したら、洗浄水を排水する。このときは、洗浄切り替え装置２１の切り替え弁２３の穴部２００は、閉鎖隔壁２４ｂ１に一致した位置におかれ、排水行程を実施する。この後は、再度給水を行ないすすぎ行程を実施する。必要に応じて複数回のすすぎ行程を行ない、その間も排水行程時には、洗浄切り替え装置２１の切り替え弁２３の穴部２００は、閉鎖隔壁２４ｂ１に一致した位置におかれ、排水行程を実施する。
【００６０】
そして最後のすすぎ行程においては、高温のすすぎ水で洗浄槽２内の食器をすすぎながら加熱して、排水行程後に乾燥行程を行なう。
【００６１】
以上述べたように、洗浄ポンプ７から送り出された洗浄水は、洗浄切り替え装置２１の吸入口２６から切り替え本体ケース２２に流れ込み、流出口から分岐ダクト２４側に流れ、切り替え弁２３により上側ノズル流路２４ｂ、下側ノズル左流路２４ａ２及び下側ノズル右流路２４ａ１を経由して、上側ノズル体５、下側左ノズル体４ｂ、及び下側右ノズル体４ａに至る。
【００６２】
係る切り替え弁２３のセット位置の変更は、切り替え用の電動機２５の駆動で行われる。この電動機２５の運転時間を制御することにより、切り替え弁２３は所定の位置にセットされる。この運転時間の制御について、回転角度と運転時間との関係を示す図６を加えて説明する。
【００６３】
カムスイッチ３１（原点位置検知センサ）の検出信号は切り替え弁２３が一回転（２π）するうちに一回の発生であるので、検出信号間の時間を計測することにより、切り替え弁２３の一回転時間Ｔが得られる。
【００６４】
同期電動機の極数をＰ、運転周波数をＦ（Ｈｚ）とすると、同期電動機の回転数は１２０Ｆ／Ｐ（ｒ／ｍ）となり、一回転時間Ｔは６０／Ｎ（秒）となる。一回転時間は電源の周波数によって変化するので、マイコンで周波数の変化を検知して切り替え弁の位置に対応する回転時間を制御している。
【００６５】
下側ノズル左流路２４ａ２と下側ノズル右流路２４ａ１、上側ノズル流路２４ｂの流路が閉鎖されている状態位置は、排水時で原点位置の状態となっている。この状態から本実施例の場合、切り替え弁２３が時計方向に回転し、排水の洗浄水循環が全閉から上側ノズル流路２４ｂが開けられる位置すなわちπ／２、下側ノズル左流路２４ａ２が開けられる位置すなわちπ、下側ノズル流路２４ａが開けられる位置すなわち３／２・πの回転角度となる。運転時間に算定し直すと１／４・Ｔ、１／２・Ｔ、３／２・Ｔになる。
【００６６】
したがって、カムスイッチ３１（原点位置検知センサ）の検出信号が検知されるところを基点として１／４・Ｔ時間運転する毎に、切り替え弁２３は循環水路が全閉の位置から順次上側ノズル流路２４ｂ、下側ノズル左流路２４ａ２、下側ノズル右流路２４ａ１の順序で位置を変更することが出来る。
【００６７】
例えば、図２において上かご右側に載せられた茶碗に長時間、洗浄水を当てるために下側ノズル右流路２４ａ１の開放時間を長く制御しても良い。付着力の強いご飯粒を集中的に洗浄することができる。
【００６８】
図７は本発明の一実施例を示す循環系の簡略図を示す。洗浄槽２内の洗浄水は取水口７０から洗浄ポンプ７の洗浄水取入れ口７１に導入される。洗浄ポンプ７によって取り込まれた洗浄水は加圧され、洗浄切り替え装置２１により下側ノズル左流路２４ａ２、下側ノズル右流路２４ａ１、及び上側ノズル流路２４ｂの各流路を通って、各々下側左ノズル体４ｂ、下側右ノズル体４ａ、上側ノズル体５から噴出する。
【００６９】
排水は同様に取水口７０から取り込まれ、共通の循環経路７２の分岐部７３を経て、排水取入れ口７４を通って排水ポンプ８により排水ホース７５を通って排水される。
【００７０】
洗浄ポンプ７と排水ポンプ８は同一電動機９により正転転時は洗浄、逆回転時は排水となるように動作する。また、洗浄と排水の水量のポンプ能力を比較すると本実施例では、洗浄は３０〜５０リットル／分、排水は８〜１２リットル／分で洗浄の方が大きくなっている。
【００７１】
ポンプの形態としては、洗浄側は渦巻き式ポンプ、排水側も薄型の渦巻き式ポンプとする。このため、排水時に排水ポンプ８を動作させると洗浄ポンプ７が逆回転にもかかわらず若干のポンプ作用を出す。
【００７２】
例えば、洗浄切り替え装置２１の切り替え弁２３の位置が各ノズル体に循環される位置にあるときは洗浄水がそのノズル体から噴出する。すると循環水路及び洗浄槽内に洗浄水が滞留する。
【００７３】
この洗浄水は、排水ポンプ８を停止すると戻り水となり取水口７０に集まる。そのため再度排水ポンプ８を動作させる必要が生じる。
【００７４】
この状態で排水行程を完了させると、戻り水だけでは排水ポンプ８を十分に動作させるための洗浄水が無いため、ポンプ内にエアーを巻込みポンプ動作が出来ない。このため従来は排水途中で一度停止した後に再動作させるため、多少エアーを巻込んだ状態で排水動作を行ない、エアー噛み込みによるポンプ効率の低下と騒音が大きくなることが避けられなかった。
【００７５】
本実施例では、排水時に洗浄切り替え装置２１において洗浄水を全閉にして、ノズル体からの戻り水を無くした。循環水量も取水口から洗浄切り替え装置までの循環水路に留める事が出来るので、戻り水が少なくなり排水動作を一回で終わらせられる。そのため排水効率を上げ排水時間を低減するとともにエアー噛み込みによる騒音を低減した。
【００７６】
また、切り替え弁は各ノズル体に対して各々対応しているので、洗浄水ポンプによる洗浄水の加圧給水量が少なくてすむ。したがって洗浄力を上げるために洗浄ポンプの能力を大きくしなくても、流路を共用して同時に複数のノズル体に洗浄水を供給する形式の食器洗い機と比較して、ノズル一個当たりの洗浄水の噴出量を増加させることが出来る。したがって洗浄性能が向上出来る。
【００７７】
また、本実施例では排水時に洗浄水が循環しないように、切り替え弁２３の位置精度を上げておくことができる。それにより仕切り壁２４ｃの幅を狭くすることが可能となり、洗浄水の流出口面積を大きくとることができる。
【図面の簡単な説明】
【００７８】
【図１】本発明の実施例に係わるもので、食器洗い機の横断面図である。
【図２】本発明の実施例に係わるもので、食器洗い機の縦横断面図である。
【図３】本発明の主要部である洗浄切り替え装置の実施例に係わるもので、切り替え弁で排水時の動作状態を示す。
【図４】本発明の主要部である洗浄切り替え装置の実施例にかかわるもので、排水状態における全閉の組合せ位置の状態を示す。
【図５】本発明の実施例に係わる回路図である。
【図６】本発明の実施例を示す切り替え弁の動作を示す。
【図７】本発明の一実施例を示す循環系の簡略図を示す。
【符号の説明】
【００７９】
２…洗浄槽、５…上側ノズル体、２１…洗浄切り替え装置、２３…切り替え弁、２５…電動機、３１…カムスイッチ（原点位置検知センサ）。
【図１】
2006320441.tif 000003
【図２】
2006320441.tif 000004
【図３】
2006320441.tif 000005
【図４】
2006320441.tif 000006
【図５】
2006320441.tif 000007
【図６】
2006320441.tif 000008
【図７】
2006320441.tif 000009